(57)【特許請求の範囲】
【請求項１】
原料液を空間中で電気的に延伸させて、ナノファイバを収集する収集手段により堆積させて製造するナノファイバ製造装置であって、
原料液を空間中に一方向に流出させる複数の流出孔を相互に平行になるように第一方向に並べて備える流出体と、
前記流出体から流出する原料液を帯電させる帯電手段と、
前記流出体から原料液が流出する方向である流出方向と同じ方向で原料液に沿って流れる気体流を前記流出体の第一方向全体にわたって幕状に発生させる送風手段と、
空間中を飛翔する原料液から製造されて空間中を飛翔するナノファイバに対し、前記送風手段により吐出される気体流を交差させて、第一方向に広がった状態で、前記収集手段により堆積されたナノファイバの間を通過させることなく吸引する長尺の吸引手段と
を備えるナノファイバ製造装置。
【請求項２】
前記送風手段は、気体流を吐出する送風口を備え、
前記送風口は、前記流出方向において前記流出孔の開口部よりも上流側にある
請求項１に記載のナノファイバ製造装置。
【請求項３】
前記送風手段は、気体流を吐出する送風口を備え、
前記送風口は、複数の前記流出体の間にある
請求項１に記載のナノファイバ製造装置。
【請求項４】
前記吸引手段は、空間中を飛翔する原料液、または、当該原料液から製造されて空間中を飛翔するナノファイバに対し、前記送風口と反対側に配置される
請求項２または３に記載のナノファイバ製造装置。
【請求項５】
さらに、
前記吸引手段が吸引した気体を前記送風手段に案内する案内手段を備える
請求項１に記載のナノファイバ製造装置。
【請求項６】
原料液を空間中で電気的に延伸させて、ナノファイバを収集する収集手段により堆積させて製造するナノファイバ製造方法であって、
複数の流出孔を相互に平行になるように第一方向に並べて備える流出体から原料液を空間中に一方向に流出させる流出工程と、
前記流出体から流出する原料液を帯電手段により帯電させる帯電工程と、
前記流出体から原料液が流出する方向である流出方向と同じ方向で原料液に沿って流れる気体流を送風手段により前記流出体の第一方向全体にわたって幕状に発生させる送風工程と、
空間中を飛翔する原料液から製造されて空間中を飛翔するナノファイバに対し、前記送風手段により吐出される気体流を交差させて、第一方向に広がった状態で、前記収集手段により堆積されたナノファイバの間を通過させることなく長尺の吸引手段により吸引する吸引工程と
を含むナノファイバ製造方法。
【発明の詳細な説明】
【技術分野】
【０００１】
本願発明は、静電延伸現象によりサブミクロンオーダーやナノオーダーの細さである繊維（ナノファイバ）を製造するナノファイバ製造装置、ナノファイバ製造方法に関する。
【背景技術】
【０００２】
樹脂などから成り、サブミクロンスケールやナノスケールの直径を有する糸状（繊維状）物質を製造する方法として、静電延伸現象（エレクトロスピニング）を用いた方法が知られている。
【０００３】
この静電延伸現象とは、溶媒中に樹脂などの溶質を分散または溶解させた原料液を空間中にノズルなどにより流出（噴射）させるとともに、原料液に電荷を付与して帯電させ、空間を飛行中の原料液を電気的に延伸させることにより、ナノファイバを得る方法である。
【０００４】
より具体的に静電延伸現象を説明すると次のようになる。すなわち、帯電され空間中に流出された原料液は、空間を飛行中に徐々に溶媒が蒸発していく。これにより、飛行中の原料液の体積は、徐々に減少していくが、原料液に付与された電荷は、原料液に留まる。この結果として、空間を飛行中の原料液は、電荷密度が徐々に上昇することとなる。そして、溶媒は、継続して蒸発し続けるため、原料液の電荷密度がさらに高まり、原料液の中に発生する反発方向のクーロン力が原料液の表面張力より勝った時点で原料液が爆発的に線状に延伸される現象が生じる。これが静電延伸現象である。この静電延伸現象が、空間において次々と幾何級数的に発生することで、直径がサブミクロンオーダーからナノオーダーの樹脂から成るナノファイバが製造される。
【０００５】
以上のような静電延伸現象を用いてナノファイバを製造する場合、蒸発した溶媒の濃度が問題となる。つまり、原料液が飛翔する空間中の溶媒の濃度が高ければ原料液から溶媒が蒸発し難くなり、製造されるナノファイバの品質に影響が出ることとなる。
【０００６】
そこで例えば特許文献１に記載の装置は、ナノファイバを堆積させて収集する被堆積部材を備えており、当該被堆積部材のナノファイバが堆積しない側から気体を吸引することにより、ナノファイバを被堆積部材に誘引するとともに、蒸発した溶媒を吸引排気する装置である。
【０００７】
また、特許文献２に記載の装置は、チャンバ内で原料液を蒸発させ、チャンバに排気装置を設けて、チャンバ内の雰囲気を排気する装置である。
【０００８】
これらの装置によれば、原料液が蒸発する空間の溶媒蒸気を強制的に排出して、溶媒の濃度を低く抑えることが可能となる。
【先行技術文献】
【特許文献】
【０００９】
【特許文献１】特開２００８−２２３１７９号公報
【特許文献２】特開２００８−１９００５５号公報
【発明の概要】
【発明が解決しようとする課題】
【００１０】
ところが、特許文献１の装置では、被堆積部材や堆積したナノファイバの間を通して蒸発した溶媒を吸引排気するため、最も溶媒濃度の濃い原料液の飛翔経路から効率的に溶媒蒸気を除去することができない。
【００１１】
また、特許文献２の装置では、チャンバの壁面に取り付けられた吸引装置によってチャンバ内の雰囲気を吸引し、チャンバの壁面に設けられた吸引口から外気を吸引するだけなので、最も溶媒の濃度が濃い原料液の飛翔経路上から速やかに溶媒蒸気を除去することができず、また、乱流などが発生して、製造されるナノファイバの品質に気体の流れが悪影響をおよぼすことも考えられる。
【００１２】
本願発明は、前記課題に鑑みてなされたものであり、溶媒蒸気を原料液の飛翔経路上から効率よく排出すると共に、製造されるナノファイバの品質を高い状態で維持しうるナノファイバ製造装置、および、ナノファイバ製造方法の提供を目的とする。
【課題を解決するための手段】
【００１３】
上記目的を達成するために、本願発明にかかるナノファイバ製造装置は、原料液を空間中で電気的に延伸させて、ナノファイバを製造するナノファイバ製造装置であって、原料液を空間中に一方向に流出させる複数の流出孔を備える流出体と、前記流出体から流出する原料液を帯電させる帯電手段と、前記流出体から原料液が流出する方向である流出方向と同じ方向で原料液に沿って流れる気体流を発生させる送風手段とを備えることを特徴としている。
【００１４】
これによれば、原料液の流れに沿って気体流が流れるため、空間中を飛翔する原料液やナノファイバに影響をおよぼすことなく、原料液やナノファイバが飛翔する飛翔空間から溶媒蒸気を排出することが可能となる。
【００１５】
また、前記送風手段は、気体流を吐出する送風口を備え、前記送風口は、前記流出方向において前記流出孔の開口部よりも上流側にあることが好ましい。
【００１６】
これによれば、流出体から流出した直後の原料液から蒸発した溶媒を効率よく飛翔空間から排出することができる。さらに、流出孔の開口部近傍において気体流は原料液の流れに沿って流れるため、前記開口部に原料液によって形成されるテーラーコーンを気体流が壊したり変形させたりすることを可及的に抑制することができる。
【００１７】
また、前記送風手段は、気体流を吐出する送風口を備え、前記送風口は、前記流出孔の間にあってもよい。
【００１８】
これによれば、一つの送風口から吐出される気体流により気体流の両側に流れる原料液から蒸発する溶媒を排出することが可能となる。従って、空間を飛翔する原料液の密度が高い場合でも効率よく溶媒蒸気を飛翔空間から排出することが可能となる。
【００１９】
さらに、空間中を飛翔する原料液、または、当該原料液から製造されて空間中を飛翔するナノファイバに対し、前記送風手段により吐出される気体流を交差させる交差手段を備えてもよい。
【００２０】
これによれば、飛翔中の原料液や飛翔中のナノファイバに対し気体流を交差させることで原料液やナノファイバの飛翔経路を曲げることができ、コンパクトな装置であっても原料液やナノファイバの飛翔経路を長くすることができる。従って、溶媒の蒸発時間を稼ぐことができ、品質の高いナノファイバを製造することが可能となる。
【００２１】
また、上記目的を達成するために、本願発明にかかるナノファイバ製造方法は、原料液を空間中で電気的に延伸させて、ナノファイバを製造するナノファイバ製造方法であって、複数の流出孔を備える流出体から原料液を空間中に一方向に流出させる流出工程と、前記流出体から流出する原料液を帯電手段により帯電させる帯電工程と、前記流出体から原料液が流出する方向である流出方向と同じ方向で原料液に沿って流れる気体流を送風手段により発生させる送風工程とを含むことを特徴とする。
【００２２】
これによれば、原料液の流れに沿って気体流が流れるため、空間中を飛翔する原料液やナノファイバに影響をおよぼすことなく、原料液やナノファイバが飛翔する飛翔空間から溶媒蒸気を排出することが可能となる。
【発明の効果】
【００２３】
本願発明によれば、製造されるナノファイバの品質の向上を図ることが可能となる。
【図面の簡単な説明】
【００２４】
【図１】図１は、ナノファイバ製造装置を示す斜視図である。
【図２】図２は、流出体を切り欠いて示す斜視図である。
【図３】図３は、流出体から原料液が流出している状態を流出体の先端部側から示す斜視図である。
【図４】図４は、ナノファイバ製造装置を気体流と共にＹ軸方向から示す側面図である。
【図５】図５は、ナノファイバ製造装置他の実施の形態をＹ軸方向から示す側面図である。
【図６】図６は、ナノファイバ製造装置他の実施の形態をＹ軸方向から示す側面図である。
【図７】図７は、ナノファイバ製造装置他の実施の形態をＹ軸方向から示す側面図である。
【図８】図８は、ナノファイバ製造装置他の実施の形態を示す斜示図である。
【発明を実施するための形態】
【００２５】
次に、本願発明に係るナノファイバ製造装置、ナノファイバ製造方法を、図面を参照しつつ説明する。
【００２６】
図１は、ナノファイバ製造装置を示す斜視図である。
【００２７】
同図に示すように、ナノファイバ製造装置１００は、原料液３００を空間中で電気的に延伸させて、ナノファイバ３０１を製造する装置であって、流出体１０１と、帯電手段１０２と、送風手段１０３とを備えている。さらに、ナノファイバ製造装置１００は、交差手段１０４と、収集手段１０５と、供給手段１０６とを備えている。
【００２８】
図２は、流出体を切り欠いて示す斜視図である。
【００２９】
流出体１０１は、原料液３００の圧力（重力も含む場合がある）により原料液３００を空間中に流出させるための部材であり、流出孔１１８を備えている。本実施の形態の場合、流出体１０１はさらに、先端部１１６と、側面部１１７と、貯留槽１１３とを備えている。また、流出体１０１は、流出する原料液３００に電荷を供給する電極としても機能しており、原料液３００と接触する部分の少なくとも一部は導電性を備えた部材で形成される。本実施の形態の場合、流出体１０１全体が金属で形成されている。なお、金属の種類は導電性を備えておれば、特に限定されるものではなく、黄銅やステンレス鋼など任意の材料を選定しうる。
【００３０】
流出孔１１８は、原料液３００を一方向（図１において、Ｚ軸方向下向き）に向かって空間中に流出させる孔であり、流出体１０１に並んで複数個設けられている。本実施の形態の場合、流出孔１１８は、相互に平行となるようにＹ軸方向に一直線上に並べて配置されており、流出孔１１８の先端にある開口部１１９は、所定の間隔で一列に並んで配置されている。
【００３１】
流出孔１１８の孔長や孔径は、特に限定されるものではなく、原料液３００の粘度などにより適した形状を選定すれば良い。具体的には、孔長は、１ｍｍ以上、５ｍｍ以下の範囲から選定されるのが好ましい。孔径は、０．１ｍｍ以上、２ｍｍ以下の範囲から選定されるのが好ましい。また、流出孔１１８の形状は、円筒形状に限定されるわけではなく、任意の形状を選定しうる。特に開口部１１９の形状は、円形に限定されるわけではなく、三角形や四角形などの多角形、星形など内側に突出する部分のある形状などでもかまわない。
【００３２】
また、開口部１１９が並べられる間隔は、全てを等間隔としてもよく、また、流出体１０１の端部における開口部１１９の間隔は、流出体１０１の中央部における開口部１１９の間隔よりも広く、または、狭くするなど任意に定めることができる。現在得られている知見において、開口部１１９の孔径が０．３ｍｍの場合、開口部１１９のピッチは、２．５ｍｍ以上が好ましい。２．５ｍｍ未満の場合、隣接して流出する原料液が合体する可能性が高まるからである。なお、これら孔径やピッチなどは、原料液３００の粘度など他の条件により変化することが考えられる。
【００３３】
また、開口部１１９は、同一直線上に配置されるばかりでなく、一列に並べられていればよい。ここで、一列とは、全ての開口部１１９が配置されるぎりぎりの領域を矩形で囲った場合、開口部１１９が前記矩形の幅方向（Ｘ軸方向）には並ばない状態をいう。また、前記開口部１１９が配置される矩形の領域は、帯形状となる。この意味において、開口部１１９は、ジグザグに配置されてもよく、サインカーブなどの波を描くように配置されてもよい。また、上記の内容は、本願発明において、流出孔１１８を行列状に並べることを妨げるものでは無い。
【００３４】
先端部１１６は、流出孔１１８の開口部１１９が配置される流出体１０１の部分であり、所定の間隔で配置される開口部１１９の間を滑らかな面で接続する部分である。本実施の形態の場合、先端部１１６は、細長い矩形の平面を表面に備え、その幅は、対応する開口部１１９の径よりも広くなるように設定されている。
【００３５】
図３は、流出体から原料液が流出している状態を流出体の先端部側から示す斜視図である。
【００３６】
同図に示すように、開口部１１９の周囲の全てにわたって表面が滑らかな面（本実施の形態の場合、平面）の先端部１１６が存在することにより、開口部１１９の周りに液溜まり３０３（いわゆるテーラーコーン）が発生する。この液溜まり３０３は、原料液３００の粘性により発生すると考えられ、開口部１１９よりも大きな円形の底面を備える円錐形状となっている。液溜まり３０３は、開口部１１９を覆うように流出体１０１の先端部１１６に付着する。そして、円錐状の液溜まり３０３から原料液３００が空間中に細く流出するものとなっている。これにより開口部１１９が空気と直接接触しないので、開口部１１９から発生するイオン風を抑制することが可能となる。
【００３７】
以上のように、先端部１１６は、複数存在する開口部１１９の間を滑らかな面でつなげているため、複数のノズルを並べたときに発生する電界干渉を抑制することが可能となる。また、開口部１１９と開口部１１９との間の領域で発生するイオン風を抑制することができる。従って、開口部１１９の間隔を狭めた状態で配置しても、良好にナノファイバ３０１を製造することができるため、単位時間、単位面積あたりのナノファイバ３０１の生産量を向上させることが可能となる。
【００３８】
また、先端部１１６により液溜まり３０３を良好な状態で保持することが可能であるため、イオン風の発生を抑制し、ナノファイバ３０１の品質向上や生産効率の向上が図れると考えられる。
【００３９】
図２において、側面部１１７は、流出孔１１８を挟むように配置される二つの面であり、先端部１１６から延設され、起立状態で配置される流出体１０１の部分である。また、側面部１１７は、並んで配置されている流出孔１１８の配置方向（Ｙ軸方向）に延びた状態で設けられており、全ての流出孔１１８を二つの側面部１１７で挟むように設けられている。また、側面部１１７は、図２に示すように、先端部１１６から離れるに従い相互の間隔が広がるように配置されている。
【００４０】
流出体１０１は、上記側面部１１７を備えることで、イオン風の発生を抑制し、また、イオン風が発生したとしても、空間中に流出する原料液３００と交差しない方向にイオン風を飛ばせることができるため、イオン風が影響を及ぼすことなく安定した状態でナノファイバ３０１を製造することが可能となる。
【００４１】
また、側面部１１７は先端部１１６に向かって徐々に細くなるように配置されているため、先端部１１６に電荷が集中させやすく、原料液３００に効率的に電荷を供給することができる。
【００４２】
さらに、開口部１１９の周囲の空間を広く開放することができるため、側面部１１７の側方に送風手段１０３によって発生する気体流によって効率よく溶媒蒸気を排出できると考えられる。
【００４３】
貯留槽１１３は、図２に示すように、流出体１０１の内部に形成され、供給手段１０６（図１参照）から供給される原料液３００を貯留するタンクである。また、貯留槽１１３は、複数の流出孔１１８に接続され、流出孔１１８に同時に原料液３００を供給するものとなっている。本実施の形態の場合、貯留槽１１３は、流出体１０１に一つ設けられており、流出体１０１の一端部から他端部にわたって広く設けられ、全ての流出孔１１８と接続されている。
【００４４】
以上のように貯留槽１１３は、原料液３００を流出孔１１８の近傍で一時的に貯留し、複数の流出孔１１８に均等な圧力で原料液３００を供給する機能を備えており、これにより、各流出孔１１８から均等な状態で原料液３００を流出させることが可能となる。従って、製造されるナノファイバ３０１の品質の空間的なムラを抑制することが可能となる。
【００４５】
なお、本実施の形態では、流出体１０１は、細く長い先端部１１６を備え、かつ、先端部から徐々に広がるように配置される側面部１１７を備えるものとして説明したが、本願発明はこれに限定されるものでは無い。例えば、円形のパイプの周壁に流出孔１１８を設けたものや、矩形で箱形の流出体１０１の底面に行列状に流出孔１１８を並べるものなどを他の形態として例示できる。また、流出孔１１８を一つ備える流出体１０１、例えば、針状ノズルのような流出体、または、針状ノズルを複数本並べて背馳される流出体１０１でも構わない。
【００４６】
供給手段１０６は、図１に示すように、流出体１０１に原料液３００を供給する装置であり、原料液３００を大量に貯留するタンクと、当該タンクから原料液３００を圧送するポンプと、圧送される原料液３００を案内するパイプを備えている。
【００４７】
帯電手段１０２は、流出体１０１から流出する原料液３００に電荷を付与して帯電させる装置である。本実施の形態の場合、帯電手段１０２は、帯電電極１２１と、帯電電源１２２とを備えている。また、流出体１０１も帯電手段１０２を構成する要素として機能している。
【００４８】
帯電電極１２１は、流出体１０１と所定の間隔を隔てて配置され、自身が流出体１０１に対し高い電圧もしくは低い電圧となることで、流出体１０１に電荷を誘導するための導電性を備える部材である。本実施の形態の場合、帯電電極１２１は、ナノファイバ３０１を収集手段１０５に誘引する誘引手段１０７としても機能している。帯電電極１２１は、流出体１０１の先端部１１６と対向する位置に配置されており、帯電電源１２２を介して接地されている。一方、流出体１０１は、接地されている。従って、帯電電極１２１に正の電圧が印加されると流出体１０１には負の電荷が誘導され、原料液３００は負に帯電する。一方、帯電電極１２１に負の電圧が印加されると流出体１０１には正の電荷が誘導され、原料液３００は正に帯電する。
【００４９】
帯電電源１２２は、流出体１０１と帯電電極１２１との間に高電圧を印加して原料液３００を所望の電荷密度に帯電させることのできる電源である。帯電電源１２２は、一般には、直流電源が好ましいが交流電源の採用を妨げるものでは無い。
【００５０】
なお、流出体１０１に帯電電源１２２を接続して流出体１０１を帯電電極１２１に対し高い電圧もしくは低い電圧としてもかまわない。また、帯電電極１２１と流出体１０１とのいずれも接地しないような接続状態とし、帯電電源１２２の両極をそれぞれ帯電電極１２１と流出体１０１に接続してもかまわない。
【００５１】
収集手段１０５は、静電延伸現象により製造されるナノファイバ３０１を収集する装置である。本実施の形態の場合、収集手段１０５は、被堆積部材１５１と、被堆積部材１５１を移送することのできる移送手段１５２とを備えている。
【００５２】
被堆積部材１５１は、空間中を飛翔するナノファイバ３０１を表面上に堆積させて収集する部材である。本実施の形態の場合、被堆積部材１５１は、薄い帯状の長尺の部材でありロール１５３に巻き付けられた状態で供給されている。被堆積部材１５１は、堆積したナノファイバ３０１により不織布を製造するための部材であり、表面に堆積したナノファイバ３０１と分離が容易なように、表面処理が施されている。
【００５３】
移送手段１５２は、流出体１０１と、収集手段１０５とを相対的に移動させる装置である。本実施の形態の場合、流出体１０１は固定されており、被堆積部材１５１のみを流出体１０１に対して移送するものとなっている。本実施の形態の場合、移送手段１５２は、長尺の収集手段１０５を巻き取りながらロール１５３から引き出し、堆積するナノファイバ３０１と共に被堆積部材１５１を移送して巻き取るものとなっている。
【００５４】
なお、移送手段１５２は、被堆積部材１５１を移動させるばかりではなく、流出体１０１を収集手段１０５に対して移動させるものでもかまわない。また、移送手段１５２は、被堆積部材１５１を一定方向に移送し、流出体１０１を被堆積部材１５１の移送方向と交差する方向に往復動させるもの等でもよい。また、開口部１１９の並び方向と直交する方向に収集手段１０５を移動させているが、それに限定するものではなく、開口部１１９の並び方向に被堆積部材１５１を移動させ、流出体１０１を開口部１１９の並び方向と直交する方向に往復動させるものであってもかまわない。
【００５５】
送風手段１０３は、流出体１０１から原料液３００が流出する方向である流出方向（Ｚ軸方向）と同じ方向で原料液３００の流れに沿って流れる気体流を発生させる装置である。本実施の形態の場合、図１に示すように、送風手段１０３は、流出体１０１のＹ軸方向全体にわたって気体流を幕状に発生させることのできる装置であり、いわゆるエアーカーテンを発生させる装置である。具体的に送風手段１０３は、Ｙ軸方向に延びる長尺のシロッコファンをモータにより回転させて発生させた気体流をＹ軸方向に延びるスリット状の送風口１３１から吐出することにより幕状の気体流をＺ軸方向の下向きに発生させるものである。
【００５６】
これによれば、原料液３００の流れに沿って原料液３００の近傍に強制的に気体流を流すことができ、原料液３００やナノファイバ３０１が飛翔する飛翔空間から溶媒蒸気を効果的に排出することが可能となる。
【００５７】
また、送風手段１０３の送風口１３１は、流出方向において流出孔の開口部１１９よりも上流側にある。これにより、流出体１０１から原料液３００が流出した直後の溶媒蒸気も含めて排出することができるため好ましい。
【００５８】
また、原料液３００の流出方向に沿って流れる気体流は、流出体１０１の先端部１１６に垂下状に出現する原料液３００の液溜まり３０３（テーラーコーン）にあまり影響を与えることなく液溜まり３０３近傍の溶媒蒸気を排出するため、製造されるナノファイバ３０１の品質を高い状態で維持させることが可能となる。
【００５９】
なお、送風手段１０３は、シロッコファンを備えるものに限定される訳ではない。例えば複数の軸流ファンを配列範囲の長手方向（Ｙ軸方向）に並べたものでもかまわない。また、コンプレッサなどにより昇圧された空気を複数のノズルから吐出することにより幕状の気体流を発生させるものでも良い。
【００６０】
交差手段１０４は、送風手段１０３により吐出される気体流の流れる方向を変化させて原料液３００、または、３０１と気体流とを交差させるものである。本実施の形態の場合、交差手段１０４として、吸引装置１４１が採用されている。
【００６１】
図４は、ナノファイバ製造装置を気体流と共にＹ軸方向から示す側面図である。
【００６２】
同図に示すように、吸引装置１４１は、空間中を飛翔する原料液３００やナノファイバ３０１に対し、送風手段１０３の送風口１３１と反対側に配置されている。吸引装置１４１は、送風手段１０３がＹ軸方向全体に広がってＺ軸方向の下向きに幕状に発生させた気体流ＡをＹ軸方向に広がった状態で吸引することのできる装置である。具体的に吸引装置１４１は、Ｙ軸方向に延びる長尺のシロッコファンをモータにより回転（送風手段１０３とは逆向き）させてＹ軸方向に延びるスリット状の吸気口１４２から気体流Ａを吸引し、Ｙ軸方向に排気するものである。
【００６３】
以上の様に、交差手段１０４である吸引装置１４１によって、気体流Ａの方向を変更し原料液３００やナノファイバ３０１と交差させることにより、原料液３００やナノファイバ３０１の飛翔経路を曲げて長くすることができる。従って、溶媒の蒸発時間を稼ぐことができ、品質の高いナノファイバを製造することが可能となる。
【００６４】
また、流出体１０１と被堆積部材１５１との中間位置よりも被堆積部材１５１側、つまり、液溜まり３０３から遠い位置で気体流Ａと原料液３００やナノファイバ３０１とを交差させているため、液溜まり３０３に影響をおよぼすことなく、飛翔経路を変更するため、ナノファイバ３０１の品質を高い状態で維持することが可能となる。
【００６５】
さらに、交差手段１０４である吸引装置１４１によって、堆積したナノファイバ３０１の間を通過させることなく気体流Ａを吸引するため、堆積したナノファイバ３０１の木目が粗くなることを回避できる。また、気体流Ａと共に溶媒蒸気がナノファイバ３０１の間を通過することを回避できるため、ナノファイバ３０１からの溶媒の蒸発が妨げられ、繊維化が阻害される等の問題を回避することができる。従って、本発明によれば木目の細かい状態でナノファイバ３０１を堆積させることができ、堆積したナノファイバ３０１同士が溶着したり、塊の状態で固化した部分が発生したりすることが抑制されているため、高い品質のナノファイバ３０１の堆積物（不織布）を製造することが可能となる。
【００６６】
なお、本願発明は、上記実施の形態に限定されるものではない。例えば、本明細書において記載した構成要素を任意に組み合わせて、また、構成要素のいくつかを除外して実現される別の実施の形態を本願発明の実施の形態としてもよい。また、上記実施の形態に対して本願発明の主旨、すなわち、特許請求の範囲に記載される文言が示す意味を逸脱しない範囲で当業者が思いつく各種変形を施して得られる変形例も本願発明に含まれる。
【００６７】
例えば、図５に示すように、交差手段１０４は、Ｙ軸方向に延びて配置される板状の変向体１４３であって、気体流Ａの方向を変更することのできる曲面や屈曲面を備えたものでもかまわない。このような交差手段１０４である変向体１４３の曲面に気体流Ａを沿わせることで、気体流Ａの方向を変更して気体流Ａと原料液３００やナノファイバ３０１とを交差させることが可能となる。
【００６８】
また、交差手段１０４として変向体１４３とともに吸引装置１４１を備えてもかまわない。これにより気体流Ａの方向を効果的に変更することができる。また、変向体１４３にナノファイバ３０１が付着する場合には、交差手段１０４として変向体１４３に代えて吸引装置１４１を備えるものとしてもかまわない。
【００６９】
さらに、送風手段１０３の送風口１３１は、流出体１０１の側方に配置される必要はなく、送風口１３１から吐出された気体流Ａを案内する案内板１３２を設けてもかまわない。案内板１３２は、ナノファイバ製造装置１００に発生する他の気体の流れによって気体流Ａの流れが乱されることを防止する機能を有している。例えば、吸引装置１４１が設けられている場合、吸引装置１４１の吸引力によって発生する気体の流れが、流出体１０１の上方から気体流Ａに作用し、気体流Ａが乱されることを防止できる。
【００７０】
さらに、図６に示すように、交差手段１０４は、送風手段１０３と同様の第二送風手段１４４でもかまわない。第二送風手段１４４は、原料液３００やナノファイバ３０１の飛翔経路に対し、送風手段１０３の送風口１３１と同じ側に配置され、原料液３００やナノファイバ３０１と交差する方向に気体流Ａを曲げる第二気体流Ｂを発生させる装置である。
【００７１】
これによれば、気体流Ａと第二気体流Ｂとにより、原料液３００やナノファイバ３０１の飛翔経路をより大きく曲げることができ、ナノファイバ製造装置１００をコンパクトに維持しつつ飛翔経路を長くして溶媒の蒸発効率を高めることも可能となる。
【００７２】
また、図７に示すように、送風手段１０３の送風口１３１を流出孔１１８の間に配置してもかまわない。なお、同図は、流出孔１１８を備える流出体１０１を複数備え、送風口１３１は、流出体１０１の間に配置されている。
【００７３】
これによれば、狭い空間に流出孔１１８を多数備えた場合でも、流出孔１１８の間を流れる気体流Ａによって、効率的に溶媒蒸気を排出することが可能となる。従って、品質の高いナノファイバ３０１を生産効率の高い状態で生産することが可能となる。
【００７４】
なお、図７には交差手段１０４として吸引装置１４１が記載されているが、交差手段１０４を備え無い場合でも本願発明に包含されることは無論である。また、吸引手段１４１に代え、または、吸引装置１４１と共に変向体１４３を備えてもかまわない。
【００７５】
また、同図においては流出体１０１は二つ記載されているが、流出体１０１を三つ以上並べ、隣り合う流出体１０１の間に送風手段１０３の送風口１３１を備えるものでもかまわない。また、流出体１０１は流出孔１１８を備えていればよく、流出孔１１８の数は任意である。従って流出孔１１８を一つ備えるノズル状の流出体１０１を複数備え、その間に送風口１３１を配置しても、本発明は成立することは無論である。
【００７６】
また、図８に示すように、交差手段１０４である吸引装置１４１が吸引した気体流Ａを送風手段１０３に案内する案内手段１４５を備えてもかまわない。同図に示される案内手段１４５は、吸引装置１４１の排気口と送風手段１０３の吸入口とをつなげるダクトである。このように、気体流Ａを案内手段１４５を用いて循環させることで、送風手段１０３のモータなどに係る負荷を軽減することが可能となる。さらに、吸引装置１４１は、モータやファンを備えることなく、単に吸気口１４２のみを備え、送風手段１０３の吸引力を用いて原料液３００やナノファイバ３０１の飛翔経路と交差した気体流Ａを吸引するものでもかまわない。
【００７７】
次に、上記構成のナノファイバ製造装置１００を用いたナノファイバ３０１の製造方法を説明する。
【００７８】
ここで、ナノファイバを構成する樹脂であって、原料液に溶解、または、分散する溶質としては、ポリプロピレン、ポリエチレン、ポリスチレン、ポリエチレンオキサイド、ポリエチレンテレフタレート、ポリブチレンテレフタレート、ポリエチレンナフタレート、ポリ−ｍ−フェニレンテレフタレート、ポリ−ｐ−フェニレンイソフタレート、ポリフッ化ビニリデン、ポリフッ化ビニリデン−ヘキサフルオロプロピレン共重合体、ポリ塩化ビニル、ポリ塩化ビニリデン−アクリレート共重合体、ポリアクリロニトリル、ポリアクリロニトリル−メタクリレート共重合体、ポリカーボネート、ポリアリレート、ポリエステルカーボネート、ポリアミド、アラミド、ポリイミド、ポリカプロラクトン、ポリ乳酸、ポリグリコール酸、コラーゲン、ポリヒドロキシ酪酸、ポリ酢酸ビニル、ポリペプチド等およびこれらの共重合体等の高分子物質を例示できる。また、上記より選ばれる一種でもよく、また、複数種類が混在してもかまわない。なお、上記は例示であり、本願発明は上記樹脂に限定されるものではない。
【００７９】
原料液に使用される溶媒としては、揮発性のある有機溶剤などを例示することができる。具体的に例示すると、メタノール、エタノール、１−プロパノール、２−プロパノール、ヘキサフルオロイソプロパノール、テトラエチレングリコール、トリエチレングリコール、ジベンジルアルコール、１，３−ジオキソラン、１，４−ジオキサン、メチルエチルケトン、メチルイソブチルケトン、メチル−ｎ−ヘキシルケトン、メチル−ｎ−プロピルケトン、ジイソプロピルケトン、ジイソブチルケトン、アセトン、ヘキサフルオロアセトン、フェノール、ギ酸、ギ酸メチル、ギ酸エチル、ギ酸プロピル、安息香酸メチル、安息香酸エチル、安息香酸プロピル、酢酸メチル、酢酸エチル、酢酸プロピル、フタル酸ジメチル、フタル酸ジエチル、フタル酸ジプロピル、塩化メチル、塩化エチル、塩化メチレン、クロロホルム、ｏ−クロロトルエン、ｐ−クロロトルエン、クロロホルム、四塩化炭素、１，１−ジクロロエタン、１，２−ジクロロエタン、トリクロロエタン、ジクロロプロパン、ジブロモエタン、ジブロモプロパン、臭化メチル、臭化エチル、臭化プロピル、酢酸、ベンゼン、トルエン、ヘキサン、シクロヘキサン、シクロヘキサノン、シクロペンタン、ｏ−キシレン、ｐ−キシレン、ｍ−キシレン、アセトニトリル、テトラヒドロフラン、Ｎ，Ｎ−ジメチルホルムアミド、Ｎ，Ｎ−ジメチルアセトアミド、ジメチルスルホオキシド、ピリジン、水等を挙示することができる。また、上記より選ばれる一種でもよく、また、複数種類が混在してもかまわない。なお、上記は例示であり、本願発明に用いられる原料液は上記溶媒を採用することに限定されるものではない。
【００８０】
さらに、原料液に無機質固体材料を添加してもよい。当該無機質固体材料としては、酸化物、炭化物、窒化物、ホウ化物、珪化物、弗化物、硫化物等を挙げることができるが、製造されるナノファイバの耐熱性、加工性などの観点から酸化物を用いることが好ましい。当該酸化物としては、Ａｌ2Ｏ3、ＳｉＯ2、ＴｉＯ2、Ｌｉ2Ｏ、Ｎａ2Ｏ、ＭｇＯ、ＣａＯ、ＳｒＯ、ＢａＯ、Ｂ2Ｏ3、Ｐ2Ｏ5、ＳｎＯ2、ＺｒＯ2、Ｋ2Ｏ、Ｃｓ2Ｏ、ＺｎＯ、Ｓｂ2Ｏ3、Ａｓ2Ｏ3、ＣｅＯ2、Ｖ2Ｏ5、Ｃｒ2Ｏ3、ＭｎＯ、Ｆｅ2Ｏ3、ＣｏＯ、ＮｉＯ、Ｙ2Ｏ3、Ｌｕ2Ｏ3、Ｙｂ2Ｏ3、ＨｆＯ2、Ｎｂ2Ｏ5等を例示することができる。また、上記より選ばれる一種でもよく、また、複数種類が混在してもかまわない。なお、上記は例示であり、本願発明の原料液に添加される物質は、上記添加剤に限定されるものではない。
【００８１】
原料液における溶媒と溶質との混合比率は、選定される溶媒の種類と溶質の種類とにより異なるが、溶媒量は、約６０重量％から９８重量％の間が望ましい。好適には溶質が５〜３０重量％となる。
【００８２】
まず、供給手段１０６により流出体１０１に原料液３００を供給する（供給工程）。以上により、流出体１０１の貯留槽１１３に原料液３００が満たされる。
【００８３】
次に、帯電電源１２２により帯電電極１２１を正または負の高電圧とする。帯電電極１２１と対向する流出体１０１の先端部１１６に電荷が集中し、当該電荷が流出孔１１８を通過して空間中に流出する原料液３００に転移し、原料液３００が帯電する（帯電工程）。
【００８４】
前記帯電工程と供給工程とは同時期に実施することにより、流出体１０１の開口部１１９から帯電した原料液３００が流出する（流出工程）。
【００８５】
また、送風手段１０３により、原料液３００の流れに沿った気体流Ａを送風口１３１から吐出する（吐出工程）。
【００８６】
ここで、開口部１１９から流出する原料液３００は、開口部１１９を覆い先端部１１６から垂れ下がる液溜まり３０３を形成する。この液溜まり３０３は、複数ある開口部１１９毎に形成され、その先端から原料液３００が糸状に垂れ下がる（図３参照）。このように液溜まり３０３が形成されることで、イオン風の発生を抑制し、製造されるナノファイバ３０１の品質を高めることが可能となる。
【００８７】
また、気体流Ａは、液溜まり３０３に大きな影響を与えることなく、液溜まり３０３近傍も含めて溶媒蒸気を押し出す。
【００８８】
次にある程度空間中を飛行した原料液３００に静電延伸現象が作用することによりナノファイバ３０１が製造される（ナノファイバ製造工程）。ここで、原料液３００は、イオン風に影響されることなく強い帯電状態（高い電荷密度）で流出し、また、各開口部１１９から飛行する原料液３００がまとまることなく細い状態で流出する。これにより、原料液３００のほとんどがナノファイバ３０１に変化していく。また、原料液３００は、強い帯電状態（高い電荷密度）で流出しているため、静電延伸が何次にもわたって発生し、線径の細いナノファイバ３０１が大量に製造される。さらに、気体流Ａは、溶媒蒸気を飛翔経路から排出しつつ、原料液３００やナノファイバ３０１の飛翔経路を押し曲げるため、飛翔経路が長くなり、より溶媒の蒸発を促して静電延伸現象を促す。
【００８９】
この状態において、被堆積部材１５１の背方に配置される帯電電極１２１と流出体１０１との間に発生する電界により、ナノファイバ３０１が被堆積部材１５１に誘引される（誘引工程）。
【００９０】
以上により、被堆積部材１５１にナノファイバ３０１が堆積して収集される（収集工程）。被堆積部材１５１は、移送手段１５２によりゆっくり移送されているため、ナノファイバ３０１も移送方向に延びた長尺の帯状部材として回収される。
【００９１】
以上のような構成のナノファイバ製造装置１００を用い、以上のナノファイバ製造方法を実施することによって、高い生産効率を維持しつつ、品質の高いナノファイバ３０１を製造することが可能となる。
【産業上の利用可能性】
【００９２】
本願発明は、ナノファイバの製造やナノファイバを用いた紡糸、不織布の製造に利用可能である。
【符号の説明】
【００９３】
１００  ナノファイバ製造装置
１０１  流出体
１０２  帯電手段
１０３  送風手段
１０４  交差手段
１０５  収集手段
１０６  供給手段
１０７  誘引手段
１１３  貯留槽
１１６  先端部
１１７  側面部
１１８  流出孔
１１９  開口部
１２１  帯電電極
１２２  帯電電源
１３１  送風口
１３２  案内板
１４１  吸引装置
１４２  吸気口
１４３  変向体
１４４  第二送風手段
１４５  案内手段
１５１  被堆積部材
１５２  移送手段
１５３  ロール
３００  原料液
３０１  ナノファイバ
【図１】
0005417276.tif 000002
【図２】
0005417276.tif 000003
【図３】
0005417276.tif 000004
【図４】
0005417276.tif 000005
【図５】
0005417276.tif 000006
【図６】
0005417276.tif 000007
【図７】
0005417276.tif 000008
【図８】
0005417276.tif 000009